(57)【要約】【課題】係止部と被係止部との係止状態を容易に確認することができるレバー式コネクタを提供する。【解決手段】レバー式コネクタ１は、第１コネクタ１０と、第１コネクタ１０に嵌合し、フォロア部２２が形成されている第２コネクタ２０と、フォロア部２２に係合するフォロア係合部が形成され、第１コネクタ１０に回動可能に取り付けられているレバー３０と、第１コネクタ１０に形成されている係止部４０と、レバー３０に形成され、係止部４０が係止する被係止部５０とを備える。レバー３０は、初期位置から嵌合完了位置に回動することにより、フォロア係合部をフォロア部２２に係合させて第２コネクタ２０を第１コネクタ１０から脱着不能に固定すると共に、係止部４０を被係止部５０に係止することで回動が規制される。係止部４０が被係止部５０に係止する部分は、レバー３０に覆われる位置を回避して配置される。【選択図】図１
2019117765.tif 000002
【特許請求の範囲】
【請求項１】
第１コネクタと、
前記第１コネクタに嵌合し、フォロア部が形成されている第２コネクタと、
前記フォロア部に係合するフォロア係合部が形成され、前記第１コネクタに回動可能に取り付けられているレバーと、
前記第１コネクタ及び前記レバーのいずれか一方に形成されている係止部と、
前記第１コネクタ及び前記レバーのいずれか他方に形成され、前記係止部が係止する被係止部と、を備え、
前記レバーは、初期位置から嵌合完了位置に回動することにより、前記フォロア係合部を前記フォロア部に係合させて前記第２コネクタを前記第１コネクタから脱着不能に固定すると共に、前記係止部を前記被係止部に係止することで回動が規制され、
前記係止部が前記被係止部に係止する部分は、前記係止部を前記被係止部に係止させた状態において、前記レバーに覆われる位置を回避して配置されている、レバー式コネクタ。
【請求項２】
前記レバーには、前記係止部が前記被係止部と係止する部分を露出させる切欠きが形成されている、請求項１に記載のレバー式コネクタ。
【請求項３】
前記係止部を支持すると共に、前記係止部と前記被係止部との係合に伴って、前記第１コネクタに対して前記第２コネクタが嵌合するために移動する嵌合方向に平行な第１方向に撓み可能に構成されている係止支持部を備える、請求項１又は２に記載のレバー式コネクタ。
【請求項４】
前記係止支持部は、前記レバーの回動軸に平行な第２方向に延びると共に、前記第２方向における両端が前記第１コネクタ及び前記レバーのいずれか一方に連結されている、請求項３に記載のレバー式コネクタ。
【請求項５】
前記被係止部を支持する被係止支持部を備え、
前記被係止支持部は、前記レバーの回動軸に平行な第２方向に延びると共に、前記第２方向における両端が前記レバーに連結されている、請求項１から４のいずれか一項に記載のレバー式コネクタ。
【請求項６】
前記第１コネクタは、
端子と、
前記端子に接続されている電線と、
前記端子を収容し、前記電線が引き出されているハウジングと、
前記ハウジングに固定され、前記電線の一部を覆い、前記被係止部又は前記係止部が設けられている電線カバーと、を有する、請求項１から５のいずれか一項に記載のレバー式コネクタ。
【請求項７】
前記第１コネクタは、
端子と、
前記端子を収容し、前記被係止部又は前記係止部が設けられているハウジングと、を有する、請求項１から５のいずれか一項に記載のレバー式コネクタ。
【発明の詳細な説明】
【技術分野】
【０００１】
本発明は、レバー式コネクタに関する。
【背景技術】
【０００２】
特許文献１には、被係止部を有する一方のコネクタに、他方のコネクタを嵌め込んでから、レバーを操作して、レバーに設けられた係止部が被係止部に係止して、コネクタ同士の嵌合を完了させるレバー式コネクタが開示されている。
【先行技術文献】
【特許文献】
【０００３】
【特許文献１】特開平１１−３２９５８２号公報
【発明の概要】
【発明が解決しようとする課題】
【０００４】
特許文献１の記載のレバー式コネクタでは、係止部が被係止部に係止する部分が、レバーに覆われている。このため、ユーザが、係止部と被係止部との係止が完了しているか否かを確認することが困難である。
【０００５】
本発明は、上述の事情の下になされたもので、係止部と被係止部との係止状態を容易に確認することができるレバー式コネクタを提供することを目的とする。
【課題を解決するための手段】
【０００６】
上述の目的を達成するために、本発明に係るレバー式コネクタは、
第１コネクタと、
前記第１コネクタに嵌合し、フォロア部が形成されている第２コネクタと、
前記フォロア部に係合するフォロア係合部が形成され、前記第１コネクタに回動可能に取り付けられているレバーと、
前記第１コネクタ及び前記レバーのいずれか一方に形成されている係止部と、
前記第１コネクタ及び前記レバーのいずれか他方に形成され、前記係止部が係止する被係止部と、を備え、
前記レバーは、初期位置から嵌合完了位置に回動することにより、前記フォロア係合部を前記フォロア部に係合させて前記第２コネクタを前記第１コネクタから脱着不能に固定すると共に、前記係止部を前記被係止部に係止することで回動が規制され、
前記係止部が前記被係止部に係止する部分は、前記係止部を前記被係止部に係止させた状態において、前記レバーに覆われる位置を回避して配置されている。
【０００７】
前記レバーには、前記係止部が前記被係止部と係止する部分を露出させる切欠きが形成されていてもよい。
【０００８】
前記係止部を支持すると共に、前記係止部と前記被係止部との係合に伴って、前記第１コネクタに対して前記第２コネクタが嵌合するために移動する嵌合方向に平行な第１方向に撓み可能に構成されている係止支持部を備えていてもよい。
【０００９】
前記係止支持部は、前記レバーの回動軸に平行な第２方向に延びると共に、前記第２方向における両端が前記第１コネクタ及び前記レバーのいずれか一方に連結されていてもよい。
【００１０】
前記被係止部を支持する被係止支持部を備え、
前記被係止支持部は、前記レバーの回動軸に平行な第２方向に延びると共に、前記第２方向における両端が前記レバーに連結されていてもよい。
【００１１】
前記第１コネクタは、
端子と、
前記端子に接続されている電線と、
前記端子を収容し、前記電線が引き出されているハウジングと、
前記ハウジングに固定され、前記電線の一部を覆い、前記被係止部又は前記係止部が設けられている電線カバーと、を有していてもよい。
【００１２】
前記第１コネクタは、
端子と、
前記端子を収容し、前記被係止部又は前記係止部が設けられているハウジングと、を有していてもよい。
【発明の効果】
【００１３】
本発明では、係止部が被係止部に係止する部分は、係止部を被係止部に係止させた状態において、レバーに覆われる位置を回避して配置されている。これにより、当該部分が外部に露出するため、係止部と被係止部との係止状態を容易に確認することができる。
【図面の簡単な説明】
【００１４】
【図１】本発明の実施の形態１に係るレバー式コネクタの分解斜視図である。
【図２Ａ】レバー式コネクタの正面図である。
【図２Ｂ】図２ＡのＩＩＢ−ＩＩＢ断面図である。
【図２Ｃ】図２ＡのＩＩＣ−ＩＩＣ断面図である。
【図３】レバーが初期位置にあるレバー式コネクタの斜視図（その１）である。
【図４】レバーが嵌合完了位置にあるレバー式コネクタの斜視図である。
【図５】フォロワ部及びカム溝を説明するためのレバーの断面図（その１）である。
【図６】レバーが初期位置にあるレバー式コネクタの斜視図（その２）である。
【図７】レバーが嵌合完了位置にあるレバー式コネクタの断面図である。
【図８】フォロワ部及びカム溝を説明するためのレバーの断面図（その２）である。
【図９】（Ａ）〜（Ｃ）は、係止部が被係止部に係止する際の動作を説明するための図である。
【図１０】比較例に係る係止部及び被係止部の断面図である。
【図１１】実施の形態２に係るレバー式コネクタの分解斜視図である。
【図１２】実施の形態２に係るレバー式コネクタの分解断面図である。
【図１３】（Ａ）〜（Ｃ）は、実施の形態２に係るレバー式コネクタにおいて、係止部が被係止部に係止する際の動作を説明するための図である。
【図１４】実施の形態２に係るレバー式コネクタの斜視図である。
【図１５】実施の形態２に係るレバー式コネクタの平面図である。
【図１６】実施の形態３に係るレバー式コネクタの分解斜視図である。
【発明を実施するための形態】
【００１５】
実施の形態１．
以下、本発明の実施の形態１に係るレバー式コネクタ１について、図１〜図１０を参照して説明する。なお、理解を容易にするために、相互に直交するＸＹＺ座標を設定し、適宜参照する。ＸＹＺ座標のＸ軸方向は、図１に示すように、第１コネクタ１０に対して第２コネクタ２０が嵌合するために移動する挿入方向Ｄ１（嵌合方向）と同一の方向である。
【００１６】
レバー式コネクタ１は、例えば、自動車に装備される電子回路の部品同士の接続に用いられる。レバー式コネクタ１は、図１、図２Ａ及び図２Ｂに示すように、第１コネクタ１０と、第２コネクタ２０と、レバー３０と、第１コネクタ１０に形成されている係止部４０及び係止支持部４１と、レバー３０に形成されている被係止部５０及び被係止支持部５１と、凸部６０とを備える。
【００１７】
図２Ｃに示すように、第１コネクタ１０は、本実施の形態１においては、導電性の雌端子１５を有する雌コネクタから構成されている。図１、図２Ｂ及び図２Ｃに示すように、第１コネクタ１０は、上述の雌端子１５に加えて、雌端子１５を収容する第１ハウジング１１と、電線１２と、電線カバー１３とを有する。
【００１８】
第１ハウジング１１は、絶縁性の素材からなり、−Ｘ方向に開口する嵌合穴１１ａが形成されている部材である。第１ハウジング１１の嵌合穴１１ａには、第２コネクタ２０が挿入される。第１ハウジング１１の＋Ｙ側及び−Ｙ側の両側面には、レバー３０を回動可能に支持する支軸１１ｂが外方に向けて突出した状態で形成されている。
【００１９】
電線１２は、その芯線が雌端子１５と電気的に接続され、第１ハウジング１１から引き出されている。
【００２０】
電線カバー１３は、第１ハウジング１１の＋Ｘ側の端面に固定されている。電線カバー１３は、電線１２の一部を覆うことで、電線１２を保護する。
【００２１】
第２コネクタ２０は、本実施の形態１においては、雄コネクタから構成されている。第２コネクタ２０には、表面に接点が形成されている基板が組み込まれる。この基板の接点には、第１コネクタ１０の雌端子１５が電気的に接続される。第２コネクタ２０は、第２ハウジング２１と、フォロワ部２２とを有する。
【００２２】
第２ハウジング２１は、絶縁性の素材からなる。この第２ハウジング２１の＋Ｙ側及び−Ｙ側の両側面には、フォロワ部２２が形成されている。フォロワ部２２は、第２ハウジング２１の側面から突出して構成されている。
【００２３】
レバー３０は、図３に示す初期位置から図４に示す嵌合完了位置に回動することにより、第２ハウジング２１のフォロワ部２２を後述するカム溝に沿って移動させ、それにより、レバー３０によるてこの作用を利用しながら比較的小さい力で第１コネクタ１０と第２コネクタ２０との嵌合を完了させるために用いられる。また、レバー３０は、初期位置から嵌合完了位置への回動により、第２コネクタ２０を第１コネクタ１０から脱着不能に固定する。レバー３０には、第１ハウジング１１の支軸１１ｂが挿入される孔が形成されている。この孔に支軸１１ｂが挿入されることにより、レバー３０は、第１コネクタ１０に対して回動軸Ａ２回りに回動する。このレバー３０には、切欠き３１と、フォロワ部２２に摺動するカム面３２を有するカム溝が形成されている。なお、カム面３２は、特許請求の範囲に記載のフォロア係合部に相当する。
【００２４】
切欠き３１は、回動するレバー３０の嵌合完了位置の状態において＋Ｘ側の端部近傍に形成されている。切欠き３１は、係止部４０が被係止部５０と係止する部分を露出するために形成されている。
【００２５】
カム面３２を有するカム溝は、図５に示すように、一定の曲率半径Ｒを有する円弧形状に形成されている。カム溝は、その円弧形状の中心Ｃ１が、回動軸Ａ２に対して偏心されて構成されている。また、カム溝の入口には、レバー３０が初期位置の状態において、挿入方向Ｄ１の直交する面にほぼ平行な当接面３３が形成されている。
【００２６】
係止部４０は、図２Ｂに示すように、被係止部５０に係止することで、嵌合完了位置に回動したレバー３０が逆方向に回動しないように規制する。係止部４０は、第１コネクタ１０の電線カバー１３に設けられている。係止部４０は、レバー３０を回動させたときに被係止部５０に当接し、回動方向Ｄ４に直交する係止面４０ａを有している。この係止部４０は、係止支持部４１に支持されている。
【００２７】
係止支持部４１は、図１に示すように、係止部４０と被係止部５０との係合に伴って、第２コネクタ２０の挿入方向Ｄ１に平行な第１方向Ｄ２（Ｘ軸方向に平行な方向）に撓み可能に構成されている。この係止支持部４１は、回動軸Ａ２に平行な第２方向Ｄ３（Ｙ軸方向に平行な方向）に延びて、係止支持部４１の両端４１ａ（第２方向Ｄ３における両端４１ａ）が、第１コネクタ１０に連結されている。
【００２８】
被係止部５０は、図２Ｂに示すように、係止部４０と共に、嵌合完了位置に回動したレバー３０が逆方向に回動しないように規制する。被係止部５０は、回動するレバー３０の嵌合完了位置の状態において＋Ｘ側の端部近傍に設けられている。被係止部５０は、レバー３０を回動させたときに係止部４０の係止面４０ａに当接し、回動方向Ｄ４に直交する被係止面５０ａを有している。この被係止部５０は、被係止支持部５１に支持されている。
【００２９】
被係止支持部５１は、図１に示すように、第２方向Ｄ３に延びて、その両端５１ａ（第２方向Ｄ３における両端５１ａ）が、レバー３０に連結されている。被係止支持部５１の両端５１ａがレバー３０に連結されていることで、被係止支持部５１は、切欠き３１に架け渡されて構成される。
【００３０】
凸部６０は、図６に示すように、第１コネクタ１０の＋Ｚ側の天面１４に対向するレバー３０の下面３４から突出している。これにより、凸部６０は、レバー３０が嵌合完了位置の状態において、第１コネクタ１０とレバー３０とに挟まれる位置に配置される。凸部６０は、レバー３０の回動軸Ａ２に平行な方向に延びる線状の形状を有している。この凸部６０は、図７に示すように、レバー３０が回動し、係止部４０が被係止部５０に係止すると、第１コネクタ１０の天面１４に当接する。この当接により、レバー３０は押圧されて撓む。
【００３１】
上述のように構成されたレバー式コネクタ１の第１コネクタ１０と第２コネクタ２０との嵌合方法について説明する。なお、レバー式コネクタ１の嵌合は、レバー３０が、第１コネクタ１０に回動可能に取り付けられている状態で行われる。
【００３２】
図１及び図２Ｂに示すように、第２コネクタ２０が、第１コネクタ１０の嵌合穴１１ａに挿入方向Ｄ１に挿入されていくと、図５に示すように、第２コネクタ２０のフォロワ部２２が、レバー３０のカム溝の当接面３３に当接する。
【００３３】
次に、ユーザがレバー３０を回動方向Ｄ４に回動させると、図８に示すように、その回動に伴ってカム溝も回動し、フォロワ部２２がカム溝の奥に進入する。カム溝は、その円弧形状の中心Ｃ１が回動軸Ａ２に対して偏心されて構成されているため、外周側のカム面３２がフォロア部２２の外周面に当接して、フォロア部２２に係合する。そして、カム面３２によってフォロワ部２２が＋Ｘ方向に引き込まれ、この結果、第２コネクタ２０全体が挿入方向Ｄ１に引き込まれる。
【００３４】
また、レバー３０が回動方向Ｄ４に回動していくと、図９（Ａ）に示すように、レバー３０に形成されている被係止部５０が、第１コネクタ１０に形成されている係止部４０に当接する。さらにレバー３０が回動すると、図９（Ｂ）に示すように、被係止部５０が係止部４０を押圧することにより、係止支持部４１が撓んで係止部４０が−Ｘ方向に移動し、被係止部５０が係止部４０を乗り越える。被係止部５０が係止部４０を乗り越えると、図９（Ｃ）に示すように、係止部４０がＸ方向に移動して元の位置に戻り、係止部４０の係止面４０ａと被係止部５０の被係止面５０ａとが対向して、係止部４０が被係止部５０に係止する。そして、図７に示すように、レバー３０が、凸部６０の押圧力に抗して、撓みつつ嵌合完了位置まで回動する。この結果、図４に示すように、第１コネクタ１０と第２コネクタ２０との嵌合が完了する。このとき、第１コネクタ１０の雌端子１５と第２コネクタ２０に組み込まれた基板の接点とが電気的に接続される。
【００３５】
この図４に示す第１コネクタ１０と第２コネクタ２０との嵌合が完了した状態において、係止部４０が被係止部５０に係止する部分は、第２コネクタ２０の挿入方向Ｄ１とレバー３０の回動軸Ａ２とに直交すると共に、第１コネクタ１０におけるレバー３０が取り付けられている面側Ａ１（図４中の上側）に、切欠き３１を通して露出する。すなわち、係止部４０が被係止部５０に係止する部分が、レバー３０に覆われる位置を回避して配置される。このため、ユーザは、切欠き３１を通して、係止部４０が被係止部５０に係止する部分を視認することで、係止状態を確認することができる。
【００３６】
次に、レバー式コネクタ１の第１コネクタ１０と第２コネクタ２０との嵌合の解除方法について説明する。
【００３７】
先ず、ユーザが係止部４０を−Ｘ方向に移動させて、被係止部５０との係止を解除する。このとき、ユーザは、切欠き３１を通して、係止部４０が被係止部５０に係止する部分を視認しつつ、係止部４０と被係止部５０との係止を解除することができる。係止部４０と被係止部５０との係止が解除されると、図７を参照するとわかるように、レバー３０は、凸部６０の押圧に対する反発力によって跳ね上って、僅かに回動方向Ｄ４と逆方向に回動する。続いて、ユーザがレバー３０を回動方向Ｄ４と逆方向に回動させると、図５を参照するとわかるように、内周側のカム面３２によって、フォロワ部２２が−Ｘ方向に押されて、フォロワ部２２がカム溝から離脱する。これにより、第２コネクタ２０を第１コネクタ１０から引き抜くことが可能になる。以上により、第１コネクタ１０と第２コネクタ２０との嵌合が解除される。
【００３８】
以上、説明したように、本実施の形態１においては、図４に示すように、係止部４０が被係止部５０に係止する部分は、係止部４０を被係止部５０に係止させた状態において、レバー３０に覆われる位置を回避して配置される。これにより、ユーザは、係止部４０と被係止部５０との係止状態を容易に確認することができる。具体的には、ユーザが、レバー３０が取り付けられている面側Ａ１から視認した時に、被係止部５０が係止部４０によって被さっているか否かを確認することにより、係止状態の判断をすることができる。この結果、係止部４０が被係止部５０に係止していない状態を容易に検出することが可能になる。
【００３９】
また、本実施の形態１においては、図１に示すように、係止支持部４１は、第１方向Ｄ２に撓み可能に構成されている。このため、図９に示すように、係止部４０の係止面４０ａと被係止部５０の被係止面５０ａとを、回動方向Ｄ４に直交する面として構成することができる。これにより、係止を外れにくくすることができる。結果として、嵌合完了位置におけるレバー３０の保持力を向上させることができる。
【００４０】
また、係止支持部４１の両端４１ａが第１コネクタ１０に連結されることによって、第２方向Ｄ３に延びた係止支持部４１が、第１方向Ｄ２に撓み可能であることから、例えば、係止支持部４１が、Ｚ軸方向に延びて形成されるものに比べて第１コネクタ１０の厚み（Ｚ軸方向における長さ）を薄くすることができる。ひいては、レバー式コネクタ１全体の低背化又は薄型化を実現することができる。
【００４１】
また、被係止部５０を支持する被係止支持部５１は、Ｙ軸方向に平行な第２方向Ｄ３に延びていると共に、レバー３０の端部に形成されている切欠き３１に架け渡されて構成されている。これにより、被係止支持部５１は、レバー３０が覆われている上側を遮ることなく、被係止部５０を支持することができる。
【００４２】
例えば、図１０に示すように、被係止支持部５１が、レバー３０が取り付けられている面側Ａ１（上側）から、被係止部５０を支持している場合、この被係止支持部５１に遮られて、係止部４０が被係止部５０に係止する部分は、上側に対して露出しない。このため、ユーザが、係止部４０と被係止部５０との係止状態を確認することができず、係止部４０が被係止部５０に係止しているか否かを判断することが困難である。
【００４３】
しかしながら、本実施の形態１においては、図９に示すように、第２方向Ｄ３（図１参照）に延びると共に、切欠き３１に架け渡されている被係止支持部５１の構成から、係止部４０が被係止部５０に係止する部分を、外部に露出させることができる。これにより、ユーザが、係止部４０と被係止部５０との係止状態を容易に確認することができる。
【００４４】
実施の形態２．
上記実施の形態１に係るレバー式コネクタ１では、係止部４０は第１コネクタ１０に形成され、被係止部５０はレバー３０に形成されている。しかしながら、係止部４０及び被係止部５０の形成位置は、これに限られない。以下、係止部４０及び被係止部５０の形成位置が異なる実施の形態２に係るレバー式コネクタ２について、図１１〜図１５を参照して説明する。なお、以下の実施の形態２では、実施の形態１と同様の構成については説明を省略すると共に、実施の形態１と異なる点を主に説明する。
【００４５】
レバー式コネクタ２は、図１１及び図１２に示すように、第１コネクタ１０と、第２コネクタ２０と、レバー３０と、レバー３０に形成されている係止部４０及び係止支持部４１と、第１コネクタ１０に形成されている被係止部５０と、凸部６０とを備える。このレバー式コネクタ２は、係止部４０がレバー３０に形成され、被係止部５０が第１コネクタ１０に形成されている点で、実施の形態１に係るレバー式コネクタ１と相違する。
【００４６】
係止部４０は、回動するレバー３０の嵌合完了位置の状態において＋Ｘ側の端部近傍（外周壁付近）に設けられている。係止部４０は、レバー３０を回動させたとき被係止部５０に当接し、回動方向Ｄ４に直交する係止面４０ａを有している。この係止部４０は、係止支持部４１に支持されている。
【００４７】
係止支持部４１は、第２方向Ｄ３に延びて、その両端４１ａ（第２方向Ｄ３における両端４１ａ）は、レバー３０に連結されている。係止支持部４１の両端４１ａがレバー３０に連結されていることで、係止支持部４１は、切欠き３１に架け渡されて構成される。
【００４８】
被係止部５０は、第１コネクタ１０の電線カバー１３に設けられている。被係止部５０は、レバー３０を回動させたとき係止部４０の係止面４０ａに当接し、回動方向Ｄ４に直交する被係止面５０ａを有している。この被係止部５０は、被係止支持部５１を備える実施の形態１のものとは異なり、被係止支持部５１を介さずに、電線カバー１３に直接設けられている。
【００４９】
上述のように構成されたレバー式コネクタ２の第１コネクタ１０に第２コネクタ２０を嵌合する場合、レバー３０の回動に伴って、図１３（Ａ）に示すように、レバー３０に形成されている係止部４０が、第１コネクタ１０に形成されている被係止部５０に当接する。さらにレバー３０が回動すると、図１３（Ｂ）に示すように、係止部４０が被係止部５０に押圧されることにより、係止支持部４１が撓んで係止部４０が＋Ｘ方向に移動し、係止部４０が被係止部５０を乗り越える。係止部４０が被係止部５０を乗り越えると、図１３（Ｃ）に示すように、係止部４０が−Ｘ方向に移動して元の位置に戻り、係止部４０の係止面４０ａと被係止部５０の被係止面５０ａとが対向して、係止部４０が被係止部５０に係止する。この結果、図１４及び図１５に示すように、第１コネクタ１０と第２コネクタ２０との嵌合が完了する。
【００５０】
この第１コネクタ１０と第２コネクタ２０との嵌合が完了した状態において、係止部４０が被係止部５０に係止する部分は、第２コネクタ２０の挿入方向Ｄ１とレバー３０の回動軸Ａ２とに直交すると共に、第１コネクタ１０におけるレバー３０が取り付けられている面側Ａ１（図１４中の上側）に切欠き３１を通して露出する。すなわち、係止部４０が被係止部５０に係止する部分が、レバー３０に覆われる位置を回避して配置される。このため、ユーザは、切欠き３１を通して、係止部４０が被係止部５０に係止する部分を視認することで、係止状態を確認することができる。
【００５１】
以上、説明したように、本実施の形態２においても、実施の形態１に係るレバー式コネクタ１と同様に、係止部４０が被係止部５０に係止する部分は、係止部４０を被係止部５０に係止させた状態において、レバー３０に覆われる位置を回避して配置される。これにより、係止部４０と被係止部５０との係止状態を容易に確認することができる。
【００５２】
また、実施の形態１と同様に、係止部４０の係止面４０ａと被係止部５０の被係止面５０ａとが、回動方向Ｄ４に直交する面として構成されているため、係止を外れにくくすることができる。結果として、嵌合完了位置におけるレバー３０の保持力を向上させることができる。
【００５３】
また、係止支持部４１が、第２方向Ｄ３に延びて、その両端４１ａが、レバー３０に連結されることによって、第１方向Ｄ２に撓み可能に構成されていることから、レバー式コネクタ２の低背化又は薄型化を実現することができる。
【００５４】
以上、本発明の実施の形態１、２について説明したが、本発明は上記実施の形態１、２によって限定されるものではない。
【００５５】
実施形態３．
例えば、実施の形態１では、係止部４０は、第１コネクタ１０の電線カバー１３に形成されている。しかしながら、これに限られない。図１６に示すように、電線カバー１３を有さないレバー式コネクタ３に係止部４０を適用してもよい。この場合、係止部４０は、第１コネクタ１０の第１ハウジング１１に形成される。
【００５６】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００５７】
１，２，３：レバー式コネクタ、１０：第１コネクタ、１１：第１ハウジング、１１ａ：嵌合穴、１１ｂ：支軸、１２：電線、１３：電線カバー、１４：天面、１５：雌端子、２０：第２コネクタ、２１：第２ハウジング、２２：フォロワ部、３０：レバー、３１：切欠き、３２：カム面（フォロワ係合部）、３３：当接面、３４：下面、４０：係止部、４０ａ：係止面、４１：係止支持部、４１ａ：（係止支持部の）両端、５０：被係止部、５０ａ：被係止面、５１：被係止支持部、５１ａ：（被係止支持部の）両端、６０：凸部、Ｄ１：挿入方向（嵌合方向）、Ｄ２：第１方向、Ｄ３：第２方向、Ｄ４：（レバー３０の）回動方向、Ａ１：（レバー３０が取り付けられている）面側、Ａ２：回動軸、Ｃ１：（カム溝の円弧形状の）中心、Ｒ：（カム溝の）曲率半径。
【図１】
2019117765.tif 000003
【図２Ａ】
2019117765.tif 000004
【図２Ｂ】
2019117765.tif 000005
【図２Ｃ】
2019117765.tif 000006
【図３】
2019117765.tif 000007
【図４】
2019117765.tif 000008
【図５】
2019117765.tif 000009
【図６】
2019117765.tif 000010
【図７】
2019117765.tif 000011
【図８】
2019117765.tif 000012
【図９】
2019117765.tif 000013
【図１０】
2019117765.tif 000014
【図１１】
2019117765.tif 000015
【図１２】
2019117765.tif 000016
【図１３】
2019117765.tif 000017
【図１４】
2019117765.tif 000018
【図１５】
2019117765.tif 000019
【図１６】
2019117765.tif 000020